(57)【要約】      （修正有）【課題】メール作成時の利便性を向上した電子機器を提供する。【解決手段】文字の入力操作をする入力部と、文字を表示する表示部と、前記入力操作に基づく表示を前記表示部に行う制御部と、メールを送受信する通信部と、メールの履歴を記憶する記憶部と、を備える。制御部は、メールの履歴から選択されたメールの少なくとも宛先、タイトル、本文を含むメール情報を表示部に順次通知し、当該通知中に入力部から入力操作を受けたとき、前記通知で表示されたメール情報までを反映させたメール入力画面を表示部に表示させる。【選択図】図５
2015191491.tif 000002
【特許請求の範囲】
【請求項１】
文字の入力操作をする入力部と、
文字を表示する表示部と、
前記入力操作に基づく表示を前記表示部に行う制御部と、
メールを送受信する通信部と、
メールの履歴を記憶する記憶部と、を備える電子機器において、
前記制御部は、
メールの履歴から選択されたメールの少なくとも宛先、タイトル、本文を含むメール情報を前記表示部に順次通知し、
当該通知中に前記入力部から入力操作を受けたとき、前記通知で表示されたメール情報までを反映させたメール入力画面を前記表示部に表示させる電子機器。
【請求項２】
前記選択されたメールのメール情報は、前記メールの履歴が表示された領域と異なる領域に順次通知される、請求項１に記載の電子機器。
【請求項３】
前記通知中のメール情報は、前記入力部から所定の入力操作を受ける度に、所定の単位で早送りされる、請求項１または２に記載の電子機器。
【請求項４】
前記入力部は操作ボタンであって、
前記所定の入力操作は、前記操作ボタンの押下時間を長くすることによって早送りを実行する、請求項３に記載の電子機器。
【請求項５】
前記早送りの実行に使用した前記操作ボタンに対応する文字を前記メール入力画面へ第１文字として入力する、請求項４に記載の電子機器。
【請求項６】
文字の入力操作をする入力部と、
文字を表示する表示部と、
前記入力操作に基づく表示を前記表示部に行う制御部と、
メールを送受信する通信部と、
メールの履歴を記憶する記憶部と、を備える電子機器の制御方法において、
前記制御部は、
メールの履歴から選択されたメールの少なくとも宛先、タイトル、本文を含むメール情報を前記表示部に順次通知するステップと、
当該通知中に前記入力部から入力操作を受けたとき、前記通知で表示されたメール情報までを反映させたメール入力画面を前記表示部に表示させるステップと、
を備える電子機器の制御方法。
【請求項７】
文字の入力操作をする入力部と、
文字を表示する表示部と、
前記入力操作に基づく表示を前記表示部に行う制御部と、
メールを送受信する通信部と、
メールの履歴を記憶する記憶部と、を備える電子機器のプログラムにおいて、
前記制御部は、
メールの履歴から選択されたメールの少なくとも宛先、タイトル、本文を含むメール情報を前記表示部に順次通知する手段と、
当該通知中に前記入力部から入力操作を受けたとき、前記通知で表示されたメール情報までを反映させたメール入力画面を前記表示部に表示させる手段と、
を有するプログラム。
【発明の詳細な説明】
【技術分野】
【０００１】
本発明は、電子機器に関するものである。
【背景技術】
【０００２】
携帯電話等の電子機器が有する機能の１つとして、電子メール（以下適宜「メール」と略記する）を受信する通信機能があり、メールを受信した履歴を時系列で表示することができる。
【０００３】
そして、携帯電話においては、任意のメールの履歴からメールを矢印キーで選択し、そのメールの送信元を反映した返信メールを新しく立ち上げることができる（例えば、特許文献１参照）。
【先行技術文献】
【特許文献】
【０００４】
【特許文献１】特開２０１１−７０４９７号公報
【発明の概要】
【発明が解決しようとする課題】
【０００５】
しかしながら、メールの履歴を利用して返信メールを作成する場合には、メール情報（宛先、ｃｃ、タイトル、本文等）からコピーをして、さらにコピーしたものを再送信メール、返信メールへ貼り付けする等の編集操作に、時間を要する場合があった。
【０００６】
このような課題に鑑み本発明の目的は、メール作成の利便性を向上する電子機器を提供することにある。
【課題を解決するための手段】
【０００７】
上述した諸課題を解決すべく本発明の電子機器は、文字の入力操作をする入力部と、文字を表示する表示部と、前記入力操作に基づく表示を前記表示部に行う制御部と、メールを送受信する通信部と、メールの履歴を記憶する記憶部と、を備える電子機器において、前記制御部は、メールの履歴から選択されたメールの少なくとも宛先、タイトル、本文を含むメール情報を前記表示部に順次通知し、当該通知中に前記入力部から入力操作を受けたとき、前記通知で表示されたメール情報までを反映させたメール入力画面を前記表示部に表示させることを特徴とする。
【０００８】
また本発明の電子機器の制御方法は、文字の入力操作をする入力部と、文字を表示する表示部と、前記入力操作に基づく表示を前記表示部に行う制御部と、メールを送受信する通信部と、メールの履歴を記憶する記憶部と、を備える電子機器の制御方法において、前記制御部は、メールの履歴から選択されたメールの少なくとも宛先、タイトル、本文を含むメール情報を前記表示部に順次通知するステップと、当該通知中に前記入力部から入力操作を受けたとき、前記通知で表示されたメール情報までを反映させたメール入力画面を前記表示部に表示させるステップと、を備える。
【０００９】
また本発明の電子機器のプログラムは、文字の入力操作をする入力部と、文字を表示する表示部と、前記入力操作に基づく表示を前記表示部に行う制御部と、メールを送受信する通信部と、メールの履歴を記憶する記憶部と、を備える電子機器のプログラムにおいて、前記制御部は、メールの履歴から選択されたメールの少なくとも宛先、タイトル、本文を含むメール情報を前記表示部に順次通知する手段と、当該通知中に前記入力部から入力操作を受けたとき、前記通知で表示されたメール情報までを反映させたメール入力画面を前記表示部に表示させる手段と、を有する。
【発明の効果】
【００１０】
上記のように構成された本発明に係る電子機器によれば、メール作成時の利便性を向上した電子機器を提供できる。
【図面の簡単な説明】
【００１１】
【図１】本発明の電子機器にかかる一実施形態の外観の模式図である。
【図２】本発明の電子機器にかかる一実施形態の表示部における模式図である。
【図３】本発明の電子機器にかかる一実施形態の表示部における模式図である。
【図４】本発明の電子機器にかかる一実施形態の表示部における模式図である。
【図５】本発明の電子機器にかかる一実施形態のフローチャートである。
【発明を実施するための形態】
【００１２】
本発明の一実施形態の電子機器は、制御部と、表示部と、入力部と、通信部と、記憶部とを備えるものである。
【００１３】
（制御部）
制御部は、電子機器全体を制御及び管理するプロセッサである。例えば、制御部は、所定の条件において、電子機器が通信部を介して受信した未読メールの内容の一部であるメール情報を、表示部に表示させることによりユーザに通知する。また、例えば、制御部は、入力部に入力されたユーザの操作に基づいて、電子機器が操作に応じた動作を行うように制御する。
【００１４】
（表示部）
表示部は、液晶ディスプレイ、有機ＥＬディスプレイ、又は無機ＥＬディスプレイ等の表示デバイスである。表示部は、文字、写真、操作用オブジェクト等の画像を表示する。例えば、表示部は、電子機器が通信部を介してメールを受信したとき、メールの送信元及びメールのタイトル等を含むメール情報を表示する。
【００１５】
（入力部）
入力部は、ユーザからの操作入力を受け付けるものであり、例えば、操作ボタン（操作キー）から構成される。電子機器がタッチパネルを有する場合には、タッチパネルが、ユーザの指及びスタイラスペン等の接触を検出して操作入力を受け付けることにより、入力部として機能する。
【００１６】
（通信部）
通信部は、基地局又は他の電子機器と無線通信を行うことにより、データを送受信する。例えば、通信部は、他の電子機器が送信したメールを基地局から受信する。
【００１７】
（記憶部）
記憶部は、半導体メモリ等で構成することができ、各種情報や電子機器を動作させるためのプログラム等を記憶するとともに、メールの履歴を記憶する機能も有する。
【００１８】
（実装構造）
以下、諸図面を参照しながら、本発明の電子機器の一実施態様を詳細に説明する。
【００１９】
図１は、本発明の電子機器１の一実施形態に係る実装構造を示す図であり、（ａ）は電子機器１正面側の斜視図であり、（ｂ）は電子機器１の背面図である。
【００２０】
電子機器１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００２１】
電子機器１は、タッチスクリーンディスプレイ２と、ボタン３Ａ〜３Ｃと、照度センサ４と、レシーバ７と、マイク８と、カメラ１２とをフロントフェイス１Ａに有する。電子機器１は、カメラ１３をバックフェイス１Ｂに有する。電子機器１は、ボタン３Ｄ〜３Ｆと、外部インターフェース１４とをサイドフェイス１Ｃに有する。
【００２２】
タッチスクリーンディスプレイ２は、表示部２Ａと、タッチスクリーン２Ｂとを有する。
【００２３】
表示部２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスにより構成される。ここで表示部２Ａは、文字、画像、記号又は図形等を表示する。
【００２４】
タッチスクリーン２Ｂは、タッチスクリーンディスプレイ２に対する指、又はスタイラスペン等の接触を検出する。ここでタッチスクリーン２Ｂは、複数の指、又はスタイラスペン等がタッチスクリーンディスプレイ２に接触した位置を検出することができる。タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２５】
電子機器１は、タッチスクリーン２Ｂにより検出された接触、接触位置、接触時間又は接触回数に基づいてジェスチャの種別を判別する。ここでジェスチャとは、タッチスクリーンディスプレイ２に対して行われる操作である。電子機器１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２６】
電子機器１は、タッチスクリーン２Ｂを介して判別するこれらのジェスチャに従って動作を行う。したがって、利用者にとって直感的で使いやすい操作性が実現される。判別されるジェスチャに従って電子機器１が行う動作は、タッチスクリーンディスプレイ２に表示されている画面に応じて異なる。
【００２７】
ボタン３は、利用者によって操作されるものであり、ボタン３Ａ〜ボタン３Ｆを有する。コントローラはボタン３と協働することによってボタンに対する操作を検出する。ボタンに対する操作は、例えば、クリック、ダブルクリック、プッシュ等である。例えば、ボタン３Ａ〜３Ｃは、ホームボタン、バックボタン又はメニューボタンである。例えば、ボタン３Ｄは、電子機器１のパワーＯＮ／ＯＦＦボタンである。ボタン３Ｄは、スリープ／スリープ解除ボタンを兼ねてもよい。例えば、ボタン３Ｅ及び３Ｆは、音量ボタンである。
【００２８】
照度センサ４は、照度を検出する。例えば、照度とは、光の強さ、明るさ等である。照度センサ４は、例えば、表示部２Ａの輝度の調整に用いられる。
【００２９】
レシーバ７は、コントローラから送信される音声信号を音声として出力し、マイク８は、利用者等の音声を音声信号へ変換してコントローラへ送信する。なお、電子機器１は、レシーバ７に加えて、スピーカをさらに有してもよい。
【００３０】
カメラ１２は、フロントフェイス１Ａに面している物体を撮影するインカメラであり、カメラ１３は、バックフェイス１Ｂに面している物体を撮影するアウトカメラである。
【００３１】
外部インターフェース（接続部）１４は、他の装置が接続される端子である。外部インターフェース１４は、ＵＳＢ（Ｕｎｉｖｅｒｓａｌ  Ｓｅｒｉａｌ  Ｂｕｓ）、ＨＤＭＩ(登録商標)（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｅｆｉｎｉｔｉｏｎ  Ｌｉｎｋ）等のような汎用的な端子であってもよい。外部インターフェース１４は、Ｄｏｃｋコネクタのような専用に設計された端子でもよい。
【００３２】
（ピクト領域）
次に、本発明の一実施形態における電子機器１の表示部２Ａ上のピクト領域１０（図３および図４を参照）における表示について説明する。
【００３３】
電子機器１は、通信部を介してメールを受信すると、表示部２Ａにメール情報を表示することにより、メール情報をユーザに通知する。
【００３４】
ここでメール情報とは、例えば、メールの送信元（宛先）、メールのタイトル（サブジェクト）及びメールの本文から選択された情報である。
【００３５】
以下、本発明の一実施形態においては、メール情報はメールの送信元（宛先）、メールのタイトル（サブジェクト）、メールの本文のことであるとして説明する。
【００３６】
例えば、電子機器１が、「山田  太郎」という名称で記憶部に登録されているメールの送信者から、「明日の打合せ開始時間について」というタイトルのメールを受信した場合、電子機器１の制御部は、表示部２Ａの一部にメール情報である送信者とタイトルと本文とをスクロール等により表示させる。
【００３７】
ここでは、表示部２Ａにおいて一定の範囲を占める、いわゆるピクト領域１０においてメール情報が表示される。ピクト領域１０とは、携帯電話等の電子機器１が有する電池残量や、電波状態等のアイコンが表示されている領域のことである。
【００３８】
このようなピクト領域１０は、通常、表示部２Ａの上端に位置している。
【００３９】
また、このようなピクト領域１０によるメールの通知態様に限らず、例えば通常の帯表示を表示部２Ａの中央部又は下端に位置して通知してもよいし、あるいは、例えばメール情報を縦書きにして、表示部２Ａの右端又は左端に位置させて通知してもよい。
【００４０】
また、電子機器１が、表示部２Ａとしてサブディスプレイを備える折りたたみ式の携帯電話である場合、ピクト領域１０はサブディスプレイに位置してもよい。
【００４１】
また、メール情報の全てがピクト領域１０に収まらない場合には、メール情報を表示部２Ａ全体に表示させてもよい。
【００４２】
（第１実施形態）
本発明の一実施形態は、文字の入力操作をする入力部と、文字を表示する表示部と、前記入力操作に基づく表示を前記表示部に行う制御部と、メールを送受信する通信部と、メールの履歴を記憶する記憶部と、を備える電子機器において、前記制御部は、メールの履歴から選択されたメールの少なくとも宛先、タイトル、本文を含むメール情報を前記表示部に順次通知し、当該通知中に前記入力部から入力操作を受けたとき、前記通知で表示されたメール情報までを反映させたメール入力画面を前記表示部に表示させる。
【００４３】
これによって、メールの履歴から返信したいメール情報を反映させた状態で、メール入力画面を表示することができるので、メール作成時の利便性を向上した電子機器１を提供できる。
【００４４】
例えば図２（ａ）の「受信履歴」に示されるように、矢印キー等によって太枠で選択されたメールは、図２（ｂ）の「通知画面」に示されるように、表示部２Ａ全体にメール情報が示される。
【００４５】
もしもメール情報が長い場合は、宛先、タイトル、本文等の項目（以下、属性ともいう）の順毎に、スクロールをさせてもよい。
【００４６】
そして制御部が入力部からの入力操作を受けて、図２（ｃ）の「新規メール」に示されるようにメール入力画面が表示され、図２（ｂ）の「通知画面」で表示されたメール情報までを「新規メール」のメール入力画面に反映させたものとすることができる。例えば図２の例では、「画面に出たところまでを反映させる」という文のうち、「画面に出たところまでを」を表示しているときに、メール入力画面を表示させる操作を受け付けた場合、「画面に出たところまでを」というところまで反映させたメール入力画面が表示される。
【００４７】
（第２実施形態）
さらに、本発明の一実施形態は、前記選択されたメールのメール情報が、前記メールの履歴が表示された領域と異なる領域に順次通知されることができる点で好ましい。
【００４８】
これによって、例えば表示されたメールの履歴と、選択されたメールのメール情報とを同時に確認することができ、利便性を向上した電子機器１を提供できる。
【００４９】
よって、メールの詳細画面を改めて確認し直すことなしに、ピクト領域１０のメール情報を確認しながら、従来よりも直ぐに返信メールの作成、送信を行うことができる。 
【００５０】
具体的には、図３（ａ）のように「受信履歴」の画面のピクト領域１０にメールの本文が示されている状態であれば、制御部が入力部からの入力操作を受けて、図３（ｂ）の「新規メール」に示されるように、宛先、タイトル、本文まで反映される。
【００５１】
あるいは、図３（ｃ）のように「受信履歴」の画面のピクト領域１０に宛先、タイトルまでが示されている状態であれば、制御部が入力部からの入力操作を受けて、図３（ｄ）の「新規メール」に示されるように、宛先、タイトルまでのみが反映される。
【００５２】
例えば図３に示されるように、表示部２Ａのメールの履歴が表示された領域と異なる領域であるピクト領域１０へメール情報を表示するものであり、ピクト領域１０にメール情報を表示している際にメール受信をした場合は、受信した新たなメールの情報を優先して、ピクト領域１０で表示することができる。
【００５３】
（第３実施形態）
さらに、本発明の一実施形態は、前記通知中のメール情報は、前記入力部から所定の入力操作を受ける度に、所定の単位で早送りできる点で好ましい。
【００５４】
ここで所定の単位とは、「１０文字単位」であってもよいし、宛先、タイトル、本文等のメール情報の各項目（属性）毎であってもかまわない。
【００５５】
これによって、メール１件あたりのメール情報の確認を早くできるので、利便性を向上した電子機器１を提供できる。
【００５６】
さらに、本発明の一実施形態は、前記入力部は文字の入力操作をする操作ボタンであって、前記所定の入力操作は、前記操作ボタンの押下時間を長くすることによって早送りを実行することができる点で好ましい。
【００５７】
これにより、電子機器１では別途早送り用の操作ボタンを設ける必要がない。
【００５８】
例えば図４（ａ）のような「受信履歴」の画面のピクト領域１０に宛先だけが表示されている状態において、ボタンを１回短押しした場合、図４（ｂ）のように「新規メール」の画面のように宛先だけが反映される。
【００５９】
一方、ボタンを１回長押しした場合、ピクト領域１０にタイトルのメール情報が表示され、図４（ｃ）のように「新規メール」の画面のようにタイトルまで反映させることができる。
【００６０】
以下、前記通知が、宛先、タイトル、本文の属性の順に表示される場合についてフローチャートを用いて説明する。
【００６１】
例えば図５のフローチャートに示されるように、まずステップ１においてメールの履歴画面が表示される。ここでメールの履歴画面とは、一覧表示される態様でもよいし、あるいは、複数回に分けて表示される態様であっても構わない。
【００６２】
次に、ステップ２において、対象となるメールが選択されたと判断されると、ステップ３において、表示部２Ａは通知画面となり、選択されたメールのメール情報が表示される。
【００６３】
一方、対象となるメールが選択されなければ、ステップ２の状態で待機することとなる。
【００６４】
ステップ３から続くステップ４において、入力操作が検出されると、ステップ５に進み、入力操作が検出されなければ、ステップ４の状態で待機することとなる。
【００６５】
ステップ５おいて、ステップ４での入力操作が長押しであるか、あるいは、短押しであるかを判断する。入力操作が長押しであれば、ステップ６へ進み、メール情報の項目（属性）を早送りして、再びステップ４の状態で待機する。
【００６６】
一方、入力操作が短押しであれば、ステップ７に進む。
【００６７】
ステップ７において、ピクト領域１０に表示されているメール情報が送信者であれば、ステップ９に進み送信者を宛先として反映させた状態でメール作成画面を表示させ、ステップ１２のメール入力画面の表示状態（メールへの文字入力が可能な状態）に至る。ステップ７において、ピクト領域１０に表示されているメール情報が送信者でなければ、ステップ８に進む。
【００６８】
ステップ８において、ピクト領域１０に表示されているメール情報がタイトルであれば、ステップ１０に進み送信者を宛先とし、さらにタイトルを反映させた状態でメール作成画面を表示させ、ステップ１２のメール入力画面の表示状態（メールへの文字入力が可能な状態）に至る（図３（ｃ）、図３（ｄ）を参照）。ステップ８において、ピクト領域１０に表示されているメール情報がタイトルでなければ、ステップ１１に進み、送信者を宛先とし、さらにタイトル、本文を反映させた状態でメール作成画面を表示させ、ステップ１２のメール入力画面の表示状態（メールへの文字入力が可能な状態）に至る（図３（ａ）、図３（ｂ）を参照）。
【００６９】
また、本発明の一実施形態は、前記早送りの実行に使用した前記操作ボタンに対応する文字を前記メール入力画面へ第１文字として入力することができることが好ましい（図４（ｂ）、図４（ｃ）を参照）。
【００７０】
これにより、取り急ぎ入力したかった文章の頭文字を残しておけることで、入力する内容を忘れてしまった場合があったとしても、頭文字から連想して思い出すことが可能になる。
【００７１】
また、本文の冒頭の第１文字を「＊」等の特定のマーク、「（１）」等の項目番号で始めることに決めている場合等でも有効である。
【００７２】
以上、本発明の電子機器１を諸図面や実施形態に基づき説明してきたが、当業者であれば、本開示に基づき種々の変形や修正を行うことが容易であることに注意されたい。
【００７３】
従って、これらの変形や修正は本発明の範囲に含まれることに留意されたい。
【００７４】
また、上述の実施形態の説明において、メール情報の表示について説明したが、表示されるアイテムはメール情報に限定されない。例えば、電子機器１に入力されたスケジュールに係る情報を表示してもよい。
【００７５】
また、電子機器１は、携帯電話に限定されるものではなく、他の任意の電子機器、例えばタブレット端末等であってもよい。
【符号の説明】
【００７６】
１：電子機器
１Ａ：フロントフェイス
１Ｂ：バックフェイス
１Ｃ、１Ｃ１〜１Ｃ４：サイドフェイス
２：タッチスクリーンディスプレイ
２Ａ：表示部
２Ｂ：タッチスクリーン
３、３Ａ〜３Ｃ、３Ｄ〜３Ｆ：ボタン
４：照度センサ
７：レシーバ
８：マイク
１０：ピクト領域
１２：インカメラ
１３：アウトカメラ
１４：外部インターフェース
２０：ハウジング
【図１】
2015191491.tif 000003
【図２】
2015191491.tif 000004
【図３】
2015191491.tif 000005
【図４】
2015191491.tif 000006
【図５】
2015191491.tif 000007